(57)【要約】【課題】複数枚の原稿を読み取る際に各原稿の画像データ毎に設定されるファイル名称を短くして、ユーザにとってファイル名称が見易くなるようにする。【解決手段】操作部４７でファイル名称が受け付けられると、数字列抽出部１０６によって当該ファイル名称から数字列が抽出され（Ｓ２１）、ファイル名称設定部１０７が当該抽出された数字列を第１枚目の原稿の各画像データのファイル名称として設定し（Ｓ２３）、第２枚目以降の原稿の各画像データには、当該抽出された数字列を順次カウントアップした数字列を用いて、各画像データのファイル名称として設定する（Ｓ２７）。【選択図】        図５
2004357241.tif 000002
【特許請求の範囲】
【請求項１】
複数枚の原稿の読み取りに際し、各原稿の画像データ毎にファイル名称を設定するファイル名称設定装置であって、
外部操作によるファイル名称の入力を受け付けるファイル名称受付手段と、
前記ファイル名称受付手段によって受け付けられたファイル名称から数字列を抽出する数字列抽出手段と、
前記ファイル名称受付手段によって受け付けられたファイル名称を第１枚目の原稿の各画像データのファイル名称として設定すると共に、前記数字列抽出手段によって抽出された数字列を、第２枚目以降の原稿の各画像データ毎に順次カウントアップし、このカウントアップした数字列を、前記数字列抽出手段によって抽出された数字列と置き換えた上で、前記ファイル名称受付手段によって受け付けられたファイル名称を、第２枚目以降の原稿の各画像データのファイル名称として設定するファイル名称設定手段と
を備えたことを特徴とするファイル名称設定装置。
【請求項２】
複数枚の原稿の各画像データ毎に順次カウントアップして、各画像データに対して連続したページ番号を付加するページ番号付加手段と、
前記数字列抽出手段によって数字列が抽出されなかった場合に、前記ページ番号付加手段にページ番号付加を行わせる制御手段と
を備えたことを特徴とする請求項１に記載のファイル名称設定装置。
【請求項３】
各ジョブ毎の原稿読込が実行される毎に順次カウントアップされる数字列を、１つのジョブにおいて読み取られる複数枚の原稿の各画像データに対して共通のファイル名称として付加すると共に、これら各画像データ毎に順次カウントアップしたページ番号を、各画像データに対してそれぞれファイル名称として更に付加するファイル名称付加手段と、
前記ファイル名称設定手段によるファイル名称設定を行うか、前記ファイル名称付加手段によるファイル名称付加を行うかが、外部操作によって選択される選択手段とを備え、
前記制御手段は、前記選択手段で前記ファイル名称付加手段によるファイル名称付加が選択された場合は、前記数字列抽出手段によって数字列が抽出されるか否かに関わらず、前記ファイル名称付加手段にファイル名称付加を行わせることを特徴とする請求項２に記載のファイル名称設定装置。
【請求項４】
前記制御手段は、前記ファイル名称受付手段でファイル名称が受け付けられていない場合は、前記ファイル名称付加手段にファイル名称付加を行わせることを特徴とする請求項３に記載のファイル名称設定装置。
【請求項５】
複数枚の原稿が読み取られた際に、各原稿の画像データ毎にファイル名称を設定する処理を、コンピュータに対して行わせるファイル名称設定プログラムであって、
外部操作によるファイル名称の入力を受け付けるファイル名称受付手段と、
前記ファイル名称受付手段によって受け付けられたファイル名称から数字列を抽出する数字列抽出手段と、
前記ファイル名称受付手段によって受け付けられたファイル名称を第１枚目の原稿の各画像データのファイル名称として設定すると共に、前記数字列抽出手段によって抽出された数字列を、第２枚目以降の原稿の各画像データ毎に順次カウントアップし、このカウントアップした数字列を、前記数字列抽出手段によって抽出された数字列と置き換えた上で、前記ファイル名称受付手段によって受け付けられたファイル名称を、第２枚目以降の原稿の各画像データのファイル名称として設定するファイル名称設定手段と
を備えるように、コンピュータを機能させることを特徴とするファイル名称設定プログラム。
【請求項６】
複数枚の原稿が読み取られた際に、各原稿の画像データ毎にファイル名称を設定するファイル名称設定方法であって、
外部操作によるファイル名称の入力を受け付ける第１ステップと、
前記第１ステップで受け付けられたファイル名称から数字列を抽出する第２ステップと、
前記第２ステップで受け付けられたファイル名称を第１枚目の原稿の各画像データのファイル名称として設定すると共に、前記数字列抽出手段によって抽出された数字列を、第２枚目以降の原稿の各画像データ毎に順次カウントアップし、このカウントアップした数字列を、前記数字列抽出手段によって抽出された数字列と置き換えた上で、前記ファイル名称受付手段によって受け付けられたファイル名称を、第２枚目以降の原稿の各画像データのファイル名称として設定する第３ステップと
からなることを特徴とするファイル名称設定方法。
【請求項７】
複数枚の原稿の読み取りが可能な原稿読み取り手段と、この原稿読み取り手段によって読み取られた原稿の画像データを画像形成する画像形成手段とを備えた画像形成装置であって、
外部操作によるファイル名称の入力を受け付けるファイル名称受付手段と、
前記ファイル名称受付手段によって受け付けられたファイル名称から数字列を抽出する数字列抽出手段と、
前記ファイル名称受付手段によって受け付けられたファイル名称を第１枚目の原稿の各画像データのファイル名称として設定すると共に、前記数字列抽出手段によって抽出された数字列を、第２枚目以降の原稿の各画像データ毎に順次カウントアップし、このカウントアップした数字列を、前記数字列抽出手段によって抽出された数字列と置き換えた上で、前記ファイル名称受付手段によって受け付けられたファイル名称を、第２枚目以降の原稿の各画像データのファイル名称として設定するファイル名称設定手段と、
前記原稿読み取り手段によって読み取られた各原稿の画像データを、前記ファイル名称設定手段によって設定されたファイル名称と関連付けて記憶する画像データ記憶手段と
を備えたことを特徴とする画像形成装置。
【発明の詳細な説明】
【０００１】
【発明の属する技術分野】
本発明は、ＡＤＦ機能付きのスキャナ等によって、複数枚の原稿が読み取られた際に、各原稿の画像データ毎にファイル名称を設定する技術に関する。
【０００２】
【従来の技術】
従来、ＡＤＦ機能付きのスキャナ等によって複数枚の原稿を読み取って、各原稿の画像データを保存したり、ネットワーク上のコンピュータに送信する際には、各原稿の画像データ毎にファイル名称が設定される。このファイル名称設定では、図８（ａ）に示すように、原稿を読み取った時に、その原稿読み取り動作のジョブを示す数字列ａと、各原稿の画像データ毎に順次カウントアップしてページ番号として付される数字列ｂとが、各画像データにファイル名称として設定されることが一般的である。また、原稿読み取り時に、ユーザが所望の文字列をファイル名称として入力・設定した場合は、図８（ｂ）に示すように、入力された文字列ｃの後に、上記原稿読み取り動作のジョブを示す数字列ａと、各原稿の画像データのページ番号の文字列ｂとが付加される。
【０００３】
【発明が解決しようとする課題】
しかしながら、上記のファイル名称設定では、各画像データのファイル名称の中に、ジョブ毎に付される数字列ａと、ページ番号を示す数字列ｂの２つが含まれることになるため、画像データに付されるファイル名称が複雑になり、ユーザが見難いものとなる。特に、図８（ｃ）に示すように、ユーザがファイル名称として入力した文字列ｄに数字列が含まれている場合は、ファイル名称の中に存在する数字列が更に多くなるため、ファイル名称の複雑化及びユーザにとっての見難さが一段と高まることになる。
【０００４】
本発明は、上述した問題点を解決するためになされたものであり、複数枚の原稿を読み取る際に各原稿の画像データ毎に設定されるファイル名称を短くして、ユーザにとってファイル名称が見易くなるファイル名称設定装置、ファイル名称設定プログラム、ファイル名称設定方法及び画像形成装置を提供することを目的とする。
【０００５】
【課題を解決するための手段】
上記目的を達成するために請求項１に記載の発明は、複数枚の原稿が読み取られた際に、各原稿の画像データ毎にファイル名称を設定するファイル名称設定装置であって、
外部操作によるファイル名称の入力を受け付けるファイル名称受付手段と、
前記ファイル名称受付手段によって受け付けられたファイル名称から数字列を抽出する数字列抽出手段と、
前記ファイル名称受付手段によって受け付けられたファイル名称を第１枚目の原稿の各画像データのファイル名称として設定すると共に、前記数字列抽出手段によって抽出された数字列を、第２枚目以降の原稿の各画像データ毎に順次カウントアップし、このカウントアップした数字列を、前記数字列抽出手段によって抽出された数字列と置き換えた上で、前記ファイル名称受付手段によって受け付けられたファイル名称を、第２枚目以降の原稿の各画像データのファイル名称として設定するファイル名称設定手段と
を備えたものである。
【０００６】
また、請求項５に記載の発明は、複数枚の原稿が読み取られた際に、各原稿の画像データ毎にファイル名称を設定する処理を、コンピュータに対して行わせるファイル名称設定プログラムであって、
外部操作によるファイル名称の入力を受け付けるファイル名称受付手段と、
前記ファイル名称受付手段によって受け付けられたファイル名称から数字列を抽出する数字列抽出手段と、
前記ファイル名称受付手段によって受け付けられたファイル名称を第１枚目の原稿の各画像データのファイル名称として設定すると共に、前記数字列抽出手段によって抽出された数字列を、第２枚目以降の原稿の各画像データ毎に順次カウントアップし、このカウントアップした数字列を、前記数字列抽出手段によって抽出された数字列と置き換えた上で、前記ファイル名称受付手段によって受け付けられたファイル名称を、第２枚目以降の原稿の各画像データのファイル名称として設定するファイル名称設定手段と
を備えるように、コンピュータを機能させるものである。
【０００７】
また、請求項７に記載の発明は、複数枚の原稿の読み取りが可能な原稿読み取り手段と、この原稿読み取り手段によって読み取られた原稿の画像データを画像形成する画像形成手段とを備えた画像形成装置であって、
外部操作によるファイル名称の入力を受け付けるファイル名称受付手段と、
前記ファイル名称受付手段によって受け付けられたファイル名称から数字列を抽出する数字列抽出手段と、
前記ファイル名称受付手段によって受け付けられたファイル名称を第１枚目の原稿の各画像データのファイル名称として設定すると共に、前記数字列抽出手段によって抽出された数字列を、第２枚目以降の原稿の各画像データ毎に順次カウントアップし、このカウントアップした数字列を、前記数字列抽出手段によって抽出された数字列と置き換えた上で、前記ファイル名称受付手段によって受け付けられたファイル名称を、第２枚目以降の原稿の各画像データのファイル名称として設定するファイル名称設定手段と、
前記原稿読み取り手段によって読み取られた各原稿の画像データを、前記ファイル名称設定手段によって設定されたファイル名称と関連付けて記憶する画像データ記憶手段と
を備えたものである。
【０００８】
これらの構成によれば、ファイル名称受付手段でファイル名称が受け付けられると、数字列抽出手段によって当該ファイル名称から数字列が抽出され、ファイル名称設定手段が当該抽出された数字列を第１枚目の原稿の各画像データのファイル名称として設定し、第２枚目以降の原稿の各画像データには、当該抽出された数字列を順次カウントアップした数字列を用いて、各画像データのファイル名称として設定する。そのため、ユーザが設定したファイル名称に、ジョブ毎に数字列や、原稿のページを示す数字列を付加しなくても、各原稿の画像データのページ毎に連続した数字列（番号）を付して、各画像データの内容の共通性等をファイル名称から明確に認識できるようにして、ファイル名称に基づいた画像データの管理を容易にすることができる。これにより、原稿読み取り時に設定されるファイル名称に付される数字列が少なくなると共にファイル名称も短くなり、読み取られた画像データのファイル名称に基づく管理容易性を確保しつつ、ユーザにとって見やすいファイル名称を付すことができる。
【０００９】
また、請求項２に記載の発明は、請求項１に記載のファイル名称設定装置であって、複数枚の原稿の各画像データ毎に順次カウントアップして、各画像データに対して連続したページ番号を付加するページ番号付加手段と、
前記数字列抽出手段によって数字列が抽出されなかった場合に、前記ページ番号付加手段にページ番号付加を行わせる制御手段と
を備えたものである。
【００１０】
この構成によれば、ファイル名称受付手段に受け付けられたファイル名称から、数字列抽出手段によっては数字列が抽出されない場合には、制御手段が、ページ番号付加手段にファイル名称へのページ番号付加を行わせるので、ユーザがファイル名称受付手段に数字列を含まないファイル名称を入力した場合でも、各原稿の画像データ毎に連続した数字列が付加され、ユーザが入力したファイル名称から各画像データの内容の共通性の認識を可能にすると共に、ページ番号に基づいて画像データの管理を容易にすることができる。
【００１１】
また、請求項３に記載の発明は、請求項２に記載のファイル名称設定装置であって、各ジョブ毎の原稿読込が実行される毎に順次カウントアップされる数字列を、１つのジョブにおいて読み取られる複数枚の原稿の各画像データに対して共通のファイル名称として付加すると共に、これら各画像データ毎に順次カウントアップしたページ番号を、各画像データに対してそれぞれファイル名称として更に付加するファイル名称付加手段と、
前記ファイル名称設定手段によるファイル名称設定を行うか、前記ファイル名称付加手段によるファイル名称付加を行うかが、外部操作によって選択される選択手段とを備え、
前記制御手段は、前記選択手段で前記ファイル名称付加手段によるファイル名称付加が選択された場合は、前記数字列抽出手段によって数字列が抽出されるか否かに関わらず、前記ファイル名称付加手段にファイル名称付加を行わせるものである。
【００１２】
この構成によれば、ユーザが選択手段で、ファイル名称設定手段によるファイル名称設定を行うか、ファイル名称付加手段によるファイル設定を選択することによって、ファイル名称受付手段に入力したファイル名称に含まれる数字列をカウントアップして各原稿毎の画像データにファイル名称として設定するか、ファイル名称受付手段に入力したファイル名称にページ番号を付加してファイル名称として設定するかを、ユーザの好みに応じて使い分けることができる。
【００１３】
また、請求項４に記載の発明は、請求項３に記載のファイル名称設定装置であって、前記制御手段は、前記ファイル名称受付手段でファイル名称が受け付けられていない場合は、前記ファイル名称付加手段にファイル名称付加を行わせるものである。
【００１４】
この構成によれば、ユーザがファイル名称受付手段に所望のファイル名称を入力しなかった場合であっても、制御手段がファイル名称付加手段にファイル名称付加を行わせるので、確実に各原稿の画像データにファイル名称を設定することができる。
【００１５】
また、請求項６に記載の発明は、複数枚の原稿が読み取られた際に、各原稿の画像データ毎にファイル名称を設定するファイル名称設定方法であって、
外部操作によるファイル名称の入力を受け付ける第１ステップと、
前記第１ステップで受け付けられたファイル名称から数字列を抽出する第２ステップと、
前記第２ステップで受け付けられたファイル名称を第１枚目の原稿の各画像データのファイル名称として設定すると共に、前記数字列抽出手段によって抽出された数字列を、第２枚目以降の原稿の各画像データ毎に順次カウントアップし、このカウントアップした数字列を、前記数字列抽出手段によって抽出された数字列と置き換えた上で、前記ファイル名称受付手段によって受け付けられたファイル名称を、第２枚目以降の原稿の各画像データのファイル名称として設定する第３ステップと
からなるものである。
【００１６】
この構成によれば、第１ステップでファイル名称が受け付けられると、第２ステップで当該ファイル名称から数字列が抽出され、第３ステップで、当該抽出された数字列が第１枚目の原稿の各画像データのファイル名称として設定され、第２枚目以降の原稿の各画像データには、当該抽出された数字列を順次カウントアップした数字列を用いて、各画像データのファイル名称として設定される。そのため、ユーザが設定したファイル名称に、ジョブ毎に数字列や、原稿のページを示す数字列を付加しなくても、各原稿の画像データのページ毎に連続した数字列（番号）を付して、各画像データの内容の共通性等をファイル名称から明確に認識できるようにして、ファイル名称に基づいた画像データの管理を容易にすることができる。これにより、原稿読み取り時に設定されるファイル名称に付される数字列が少なくなると共にファイル名称も短くなり、読み取られた画像データのファイル名称に基づく管理容易性を確保しつつ、ユーザにとって見やすいファイル名称を付すことができる。
【００１７】
【発明の実施の形態】
以下、本発明に係る実施形態を図面に基づいて説明する。図１は、本発明に係る画像形成装置の一例である複合機の内部構成を概略的に示す側面図である。複合機１は、本発明に係るファイル名称設定装置を備えた画像形成装置であり、コピー機能、プリンタ機能、スキャナ機能及びファクシミリ機能等の機能を兼ね備えたものである。この複合機１は、本体部２と、本体部２の左方に配設されたスタックトレイ３と、本体部２の上部に配設された原稿読取部５と、原稿読取部５の上方に配設された原稿給送部６とを有している。
【００１８】
また、複合機１のフロント部には、操作部（ファイル名称受付手段）４７が設けられている。この操作部４７には、原稿読み取り開始指示や印刷実行指示等を入力するためのスタートキー４７１と、印刷部数やファイル名称として付す数字列（数字列）等を入力するためのテンキー４７２と、液晶ディスプレイ等からなるファイル名称入力用のキーボード等が表示される液晶ディスプレイ等からなる表示部４７３と、コピー機能、プリンタ機能、スキャナ機能及びファクシミリ機能を切り換えるための機能切換キー４７５が備えられている。表示部４７３には、表示中のキーボードに対応する文字や、表示中のメッセージに対応する指示等の入力のためにタッチパネル機能が備えられている。
【００１９】
原稿読取部５は、ＣＣＤ（Ｃｈａｒｇｅ  Ｃｏｕｐｌｅｄ  Ｄｅｖｉｃｅ）センサ及び露光ランプ等からなるスキャナ部５１と、ガラス等の透明部材により構成された原稿台５２及び原稿読取用スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図２）へ出力する。また、原稿給送部６により給送された原稿を読み取るときは、原稿読取用スリット５３と対向する位置に移動され、原稿読取用スリット５３を介して原稿給送部６による原稿の搬送動作と同期して原稿の画像を取得し、その画像データを制御部１００へ出力する。
【００２０】
原稿給送部６は、原稿を載置するための原稿載置部６１と、画像読み取り済みの原稿を排出するための原稿排出部６２と、原稿載置部６１に載置された原稿を１枚ずつ繰り出して原稿読取用スリット５３に対向する位置へ搬送し、原稿排出部６２へ排出するための給紙ローラ及び搬送ローラ（図略）等からなる原稿搬送機構６３を備える。原稿搬送機構６３は、さらに原稿を表裏反転させて原稿読取用スリット５３と対向する位置へ再搬送する用紙反転機構（図略）を備え、原稿の両面の画像を原稿読取用スリット５３を介してスキャナ部５１から読取可能にしている。
【００２１】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２２】
本体部２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００２３】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録紙をスタックトレイ３又は排出トレイ４８まで搬送する搬送ローラ４６３，４６４等とを備える。
【００２４】
また、記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２５】
図２は複合機１の概略構成を示す機能ブロック図である。複合機１には、装置全体の動作制御を司る制御部（制御手段）１００が備えられている。この制御部１００には、露光ランプ５１１及びＣＣＤ５１２等からなる原稿画像の読み取りが可能なスキャナ部５１と、用紙搬送部１３１，感光体ドラム４３及び現像部４４等からなる画像形成部１３２，転写部４１，及び定着部４５等で構成される記録部４０とが接続されている。
【００２６】
また、制御部１００には、スキャナ部５１で読み取られた文書データが一時的に保存される等の作業領域として使用される画像メモリ１４０と、大量の文書データを保存可能な記憶容量を有する大容量のＨＤＤ（画像データ記憶手段）１５０が接続されている。ＨＤＤ１５０に記憶されている画像データは、複合機１内部で使用されるだけでなく、必要に応じて、ネットワークＩ／Ｆ部２１０を介してネットワーク上のクライアントＰＣ等の所定のフォルダへ転送可能とされている。
【００２７】
画像処理部１６０は、スキャナ部５１によって読み取られた画像のデータや、ＨＤＤ１５０から読み出した画像データに対して、必要に応じて加工処理等を行うものである。ＲＯＭ１２６は複合機１の動作プログラムが記憶され、必要に応じて他の動作制御プログラムが記憶されるものである。ＲＡＭ１２７は制御部１００の作業領域として使用されるメモリである。
【００２８】
また、制御部１００は、複合機１が実行可能な各機能を制御するスキャナコントローラ１０１，ファクシミリコントローラ１０２，プリンタコントローラ１０３，コピーコントローラ１０４及びネットワークコントローラ１０５として機能する。
【００２９】
スキャナコントローラ１０１は、スキャナ部５１の動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部１７０を制御する。ファクシミリ通信部１７０には、データ送受信相手である相手先ファクシミリとの電話回線の接続を制御するＮＣＵ（Ｎｅｔｗｏｒｋ  Ｃｏｎｔｒｏｌ  Ｕｎｉｔ）が備えられている。コピーコントローラ１０４は、コピー動作に必要な各部の動作制御を行うものである。
【００３０】
プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ部（図略）、単一の信号線を用いて１ビットずつ順次データを送るシリアル伝送で外部機器と接続するシリアルＩ／Ｆ部（図略）とが接続されている。
【００３１】
ネットワークコントローラ１０５は、本複合機１とネットワーク上のコンピュータ等との間で行われるデータ送受信を制御するものである。ネットワークコントローラ１０５は、ネットワークＩ／Ｆ部２１０を介して外部とデータを送受信させる。
【００３２】
さらに、制御部１００は、数字列抽出部（数字列抽出手段）１０６、ファイル名称設定部（ファイル名称設定手段）１０７及びファイル名称付加部（ファイル名称付加手段）１０８として機能する。
【００３３】
数字列抽出部１０６は、操作部４７にユーザから入力されて受け付けられたファイル名称の中から数字列を抽出するものである。
【００３４】
ファイル名称設定部１０７は、操作部４７を介して受け付けられたファイル名称から、数字列抽出部１０６によって抽出されたファイル名称に数字列が含まれている場合に、当該数字列を抽出してデータ値として認識し、このデータ値をカウントアップし、当該データ値又は当該データ値をカウントアップしてなる数字列を、各原稿の画像データのファイル名称の一部として付加設定するものである。この「カウントアップ」とは、例えば、上記抽出した数字列をインクリメントすること等をいう（以下、同じ）。
【００３５】
ファイル名称付加部１０８は、原稿読み取りジョブがある毎に、カウンタ機能によってジョブの数をカウントし、ジョブ毎に順次カウントアップした値からなる数字列を割り付け、１回の読み取り動作で読み取られる原稿載置部６１に載置された枚数分の原稿の原稿読込時に（すなわち、１ジョブでの原稿読込時に）、このカウントアップした数字列を、各ジョブにおいて読み取られた複数原稿の全画像データに対して共通のファイル名称として付加する。さらに、ファイル名称付加部１０８は、１ジョブで読み取られた複数原稿の各画像データに対して、カウンタ機能によって画像データの数をカウントし、このカウントアップした値からなる数字列を、ページ番号として各々の画像データにファイル名称として更に付加するものである。よって、ファイル名称付加部１０８は、原稿を読み取った時における各画像データに対して、上記ジョブ毎にカウントした値からなる数字列と、各画像データ毎にカウントした値からなる数字列の両方で構成された数字列を、ファイル名称の一部として各画像データに付加する。
【００３６】
また、操作部４７も制御部１００によって制御される。上述したように、表示部４７３はタッチパネル機能を有し、表示画面に表示されているファイル名称入力用のキーボードや、ファイル名称設定部１０７又はファイル名称付加部１０８のいずれによってファイル名称を設定するかの選択を促すメッセージ等、に対応するユーザからの指示が当該タッチパネルから入力されるようになっている。操作キー部４７０は、スタートキー４７１、テンキー４７２及び機能切換キー４７５等からなる。
【００３７】
管理用メモリ２００には、前回ファイル名称として最後に使用した、原稿読み取り動作のジョブを示す数字列が保存される（詳細は後述）。管理用メモリ２００に保存されている当該数字列は、次にファイル名称を作成する時に読み出され、この数字列をカウントアップ（インクリメント）した数字列が新たなジョブを示す数字列として用いられる。
【００３８】
次に、複合機１によるファイル名称設定処理について説明する。図３は複合機１によるファイル名称設定処理を示すフローチャート、図４（ａ）乃至（ｃ）は設定されるファイル名称の例を示す図である。なお、以降の図３、図５、図７に示す各処理においては、制御部１００が特許請求の範囲でいう制御手段として機能する。
【００３９】
複合機１によるファイル名称設定処理は、スキャナ部５１によって複数枚の原稿が読み取られた場合に、ユーザによって所望のファイル名称が操作部４７から入力されているときは、その入力されたファイル名称から数字列を抽出してカウントの対象となる値とし、この値をカウントアップしてなる数字列を、第２頁目以降の各原稿の画像データのファイル名称の一部として設定するものである。
【００４０】
まず、スキャナ部５１で読み取られる複数原稿の各画像データの出力形式が、各原稿の全画像データを１ファイルとして出力するか、各画像データを１頁毎に出力するか、のいずれの出力形式にユーザが設定しているかが判断される（Ｓ１）。なお、これらの出力形式は、ユーザが操作部４７を操作することで選択可能とされている。
【００４１】
ここで、読み取った各原稿の全画像データを１ファイルとして出力する出力形式が選択されている場合は（Ｓ１で１ファイル）、ユーザによって操作部４７から所望の文字列がファイル名称として入力されているかが判断される（Ｓ９）。操作部４７に文字列（ファイル名称）が入力されている場合は（Ｓ９でＹＥＳ）、この入力された文字列が、今回読み取られた原稿画像データのファイル名称として設定される（Ｓ１２）。
【００４２】
操作部４７から文字列（ファイル名称）が入力されていない場合は（Ｓ９でＮＯ）、管理用メモリ２００に保存（バックアップ）されている値、すなわち、前回ファイル名称として最後に使用した、原稿読み取り動作のジョブを示す数字列が読み出され、この値がカウントアップされる（Ｓ１０）。そして、ユーザからファイル名称用の文字列が操作部４７に入力されない場合のために、予め登録されているファイル名称ｅ（初期設定文字列）と、Ｓ１０でカウントアップした値からなる数字列ａとから、図４（ａ）に示すようなファイル名称を作成して設定する（Ｓ１１）。なお、上記予め登録されているファイル名称とは、画像データ保存のために何らかのファイル名称を付す必要性から予め用意されている文字列をいう。例えば、「新たな原稿データ」等の文字列であり、管理用メモリ２００又はＨＤＤ１５０に保存されている。
【００４３】
Ｓ１０でカウントアップされた値（ファイル名称に使用された数字列）は、管理用メモリ２００に保存される（Ｓ８）。
【００４４】
また、Ｓ１において、読み取った各原稿の画像データを１ページ毎に出力する出力形式がユーザによって選択されている場合は（Ｓ１で１頁毎）、操作部４７からユーザによって所望の文字列（ファイル名称）が入力されているかが判断される（Ｓ２）。ここでユーザによって文字列が入力されていない場合は（Ｓ２でＮＯ）、Ｓ１０と同様に、管理用メモリ２００にバックアップされている値（数字列）がカウントアップされる（Ｓ３）。そして、上記Ｓ１１と同様に、初期設定文字列ｅに当該カウントアップした値からなる数字列ａが付加され（Ｓ４）、これに更にページ番号を示す値からなる数字列ｂが加され（Ｓ５）、これらからなるファイル名称（図４（ｂ））が画像データに設定される（Ｓ６）。このＳ４乃至Ｓ６の処理は、複数原稿の全画像データに対してそれぞれ行われる（Ｓ７）。この後、Ｓ３でカウントアップされた、ジョブを示す値からなる数字列が管理用メモリ２００に保存される（Ｓ８）。
【００４５】
Ｓ２において、ユーザによって所望の文字列（ファイル名称）が入力されている場合は（Ｓ２でＹＥＳ）、当該文字列に含まれる数字列及びこの数字列をデータ値として認識してカウントアップした値からなる数字列を用いたファイル名称設定処理（以下、カウントアップ処理という）の実行が、ユーザによって操作部４７で選択されているか否かが判断される（Ｓ１３）。ここで、カウントアップ処理の実行が選択されている場合は（Ｓ１３でＹＥＳ）、カウントアップ処理のルーチンに移る（Ｓ１９）。
【００４６】
Ｓ１３において、カウントアップ処理の実行が選択されていない場合は（Ｓ１３でＮＯ）、Ｓ３と同様に、管理用メモリ２００にバックアップされている値からなる数字列がカウントアップされる（Ｓ１４）。そして、Ｓ２でユーザから入力された文字列ｆに当該カウントアップした値からなる数字列ａが付加され（Ｓ１５）、これに更にページ番号を示す値からなる数字列ｂが付加され（Ｓ１６）、これらからなるファイル名称（図４（ｃ））が画像データに設定される（Ｓ１７）。このＳ１５乃至Ｓ１７の処理は、複数原稿の全画像データに対してそれぞれ行われる（Ｓ１８）。この後、Ｓ１４でカウントアップされた、ジョブを示す値からなる数字列が管理用メモリ２００に保存される（Ｓ８）。
【００４７】
次に、上記カウントアップ処理について説明する。図５はこのカウントアップ処理の流れを示すフローチャート、図６は（ａ）乃至（ｃ）は、設定されるファイル名称の例を示す図である。まず、ユーザから入力された文字列に数字列が含まれているかが数字列抽出部１０６によって検索される（Ｓ２１）。入力された文字列から数字列が検出された場合は（Ｓ２１でＹＥＳ）、この検出された数字列がデータ値として認識され、管理用メモリ２００に保存される（Ｓ２２）。そして、図６（ａ）に示すように、この数字列ｇ１を含む、入力されたそのままの文字列ｈ１が、まず第１頁目の画像データのファイル名称として設定される（Ｓ２３）。
【００４８】
次頁以降の画像データが存在する場合は（Ｓ２４でＹＥＳ）、Ｓ２２で管理用メモリ２００に保存された値からなる数字列が、ファイル名称設定部１０７によってカウントアップされ（Ｓ２５）、管理用メモリ２００にそれまで保存されていた値が、当該カウントアップされた値からなるに書き換えられる（Ｓ２６）。そして、図６（ｂ）に示すように、ファイル名称として入力された文字列に含まれる数字列ｇ１（Ｓ２１で検出された数字列）が、当該カウントアップ後の値からなる数字列ｇ２に置き換えられ、この文字列ｈ２が、次頁の画像データのファイル名称として設定される（Ｓ２７）。このＳ２５乃至Ｓ２７の処理は、該原稿読み取りジョブで読み取られた各原稿の全画像データに対してそれぞれ行われ（Ｓ２８）、図６（ｂ）に示すように、次ページ以降の画像データのファイル名称は、含まれている数字列が、上記のようにして順次カウントアップされた値に置き換えられる。
【００４９】
Ｓ２１において、ユーザから入力された文字列に数字列が含まれていないと判断された場合は（Ｓ２１でＮＯ）、図６（ｃ）に示すように、入力文字列ｉにページ番号ｂが付加され（Ｓ２９）、これらからなる文字列が第１頁目の画像データのファイル名称として設定される（Ｓ３０）。このＳ２９及びＳ３０の処理は、次ページ以降の各画像データに対しても同様に行われる（Ｓ３１）。
【００５０】
次に、上記カウントアップ処理の他の実施形態について説明する。図７は他の実施形態に係るカウントアップ処理を示すフローチャートである。なお、図５に示した処理と同様の処理については説明を省略する。
【００５１】
この実施形態においては、入力文字列から検出された数字列をデータ値として認識して、頁毎に順次カウントアップし、各原稿の画像データにファイル名称を付した後、最終頁の画像データのファイル名称をＨＤＤ１５０又は管理用メモリ２００に保存されるようになっている（Ｓ５０）。そして、次回に当該処理が開始されるときに、ユーザによってファイル名称として新たに入力された文字列と、このＨＤＤ１５０又は管理用メモリ２００に保存されている既に使用済みのファイル名称とを比較し（Ｓ４１）、新たに入力された文字列が既に使用済みのファイル名称と同一である場合は（Ｓ４１でＹＥＳ）、新たに入力した文字列がファイル名称として使用できない旨のメッセージが表示部４７３に表示され（Ｓ５１）、入力された文字列を使用したファイル名称設定を行うことなく処理を終了する。
【００５２】
新たに入力された文字列が、既に使用済みであるファイル名称と同一でない場合は（Ｓ４１でＮＯ）、入力文字列を使用したファイル名称設定の処理が開始される（Ｓ４２乃至Ｓ５４、但しＳ５１を除く）。
【００５３】
このように、本実施形態の複合機１によれば、操作部４７でファイル名称が受け付けられると、数字列抽出部１０６によって当該ファイル名称から数字列が抽出され、ファイル名称設定部１０７が当該抽出された数字列を、第１枚目の原稿の各画像データのファイル名称として設定し、第２枚目以降の原稿の各画像データには、当該抽出された数字列をデータ値として認識して順次カウントアップした値からなる数字列を用いて、各画像データのファイル名称として設定する。そのため、ユーザが設定したファイル名称に、ジョブ毎に数字列や、原稿のページを示す数字列が新たに付加されることがないので、原稿読み取り時に設定されるファイル名称に数字列が多くなってしまうことがなく、ファイル名称が長くなることもない。その一方、ファイル名称には、各原稿の画像データのページ毎に連続した数字列（番号）が付されることになるので、ファイル名称に基づいた画像データの管理が容易である。
【００５４】
なお、本発明は上記実施の形態の構成に限られず種々の変形が可能である。例えば、上記実施の形態では、本発明に係るファイル名称設定装置は複合機１に備えられるものとして説明しているが、複数枚の原稿画像を読み取って各頁の画像データ毎に保存可能な装置であれば、本発明に係るファイル名称設定装置を適用することが可能である。
【００５５】
また、上記実施形態では、ユーザによって新たに入力された文字列から数字列を抽出してデータ値として認識し、この値を各頁の画像データ毎に順次カウントアップするようにしているが、例えば、アルファベットのように文字の順序立った配列が予測可能な文字や記号を抽出して、第２頁以降の各画像データにファイル名称を設定するようにしてもよい。例えば、文字列から「ａ」等のアルファベットを抽出し、第２頁目以降の画像データのファイル名称として順次「ｂ」「ｃ」「ｄ」…のように、ファイル名称を設定してもよい。
【００５６】
【発明の効果】
以上のように請求項１、請求項５及び請求項７に記載の発明によれば、ファイル名称受付手段でファイル名称が受け付けられると、数字列抽出手段によって当該ファイル名称から数字列が抽出され、ファイル名称設定手段が当該抽出された数字列を第１枚目の原稿の各画像データのファイル名称として設定し、第２枚目以降の原稿の各画像データには、当該抽出された数字列を順次カウントアップした数字列を用いて、各画像データのファイル名称として設定する。そのため、ユーザが設定したファイル名称に、ジョブ毎に数字列や、原稿のページを示す数字列を付加しなくても、各原稿の画像データのページ毎に連続した数字列（番号）を付して、各画像データの内容の共通性等をファイル名称から明確に認識できるようにして、ファイル名称に基づいた画像データの管理を容易にすることができる。これにより、原稿読み取り時に設定されるファイル名称に付される数字列が少なくなると共にファイル名称も短くなり、読み取られた画像データのファイル名称に基づく管理容易性を確保しつつ、ユーザにとって見やすいファイル名称を付すことができる。
【００５７】
また、請求項２に記載の発明によれば、ファイル名称受付手段に受け付けられたファイル名称から、数字列抽出手段によっては数字列が抽出されない場合には、制御手段が、ページ番号付加手段にファイル名称へのページ番号付加を行わせるので、ユーザがファイル名称受付手段に数字列を含まないファイル名称を入力した場合でも、各原稿の画像データ毎に連続した数字列が付加され、ユーザが入力したファイル名称から各画像データの内容の共通性の認識を可能にすると共に、ページ番号に基づいて画像データの管理を容易にすることができる。
【００５８】
また、請求項３に記載の発明によれば、ユーザが選択手段で、ファイル名称設定手段によるファイル名称設定を行うか、ファイル名称付加手段によるファイル設定を選択することによって、ファイル名称受付手段に入力したファイル名称に含まれる数字列をカウントアップして各原稿毎の画像データにファイル名称として設定するか、ファイル名称受付手段に入力したファイル名称にページ番号を付加してファイル名称として設定するかを、ユーザの好みに応じて使い分けることができる。
【００５９】
また、請求項４に記載の発明によれば、ユーザがファイル名称受付手段に所望のファイル名称を入力しなかった場合であっても、制御手段がファイル名称付加手段にファイル名称付加を行わせるので、確実に各原稿の画像データにファイル名称を設定することができる。
【００６０】
また、請求項６に記載の発明によれば、第１ステップでファイル名称が受け付けられると、第２ステップで当該ファイル名称から数字列が抽出され、第３ステップで、当該抽出された数字列が第１枚目の原稿の各画像データのファイル名称として設定され、第２枚目以降の原稿の各画像データには、当該抽出された数字列を順次カウントアップした数字列を用いて、各画像データのファイル名称として設定される。そのため、ユーザが設定したファイル名称に、ジョブ毎に数字列や、原稿のページを示す数字列を付加しなくても、各原稿の画像データのページ毎に連続した数字列（番号）を付して、各画像データの内容の共通性等をファイル名称から明確に認識できるようにして、ファイル名称に基づいた画像データの管理を容易にすることができる。これにより、原稿読み取り時に設定されるファイル名称に付される数字列が少なくなると共にファイル名称も短くなり、読み取られた画像データのファイル名称に基づく管理容易性を確保しつつ、ユーザにとって見やすいファイル名称を付すことができる。
【図面の簡単な説明】
【図１】本発明に係る画像形成装置の一例である複合機の内部構成を概略的に示す側面図である。
【図２】複合機の概略構成を示す機能ブロック図である。
【図３】複合機によるファイル名称作成処理を示すフローチャートである。
【図４】（ａ）乃至（ｃ）は設定されるファイル名称の例を示す図である。
【図５】カウントアップ処理の流れを示すフローチャートである。
【図６】（ａ）乃至（ｃ）は、設定されるファイル名称の例を示す図である。
【図７】他の実施形態に係るカウントアップ処理を示すフローチャートである。
【図８】（ａ）乃至（ｃ）は、従来のファイル名称設定処理によって付されるファイル名称の例を示す図である。
【符号の説明】
１      複合機（画像形成装置）
１００  制御部（制御手段）
１０６  数字列抽出部（数字列抽出手段）
１０７  ファイル名称設定部（ファイル名称設定手段）
１０８  ファイル名称付加部（ファイル名称付加手段）
４７    操作部（ファイル名称受付手段）
４７０  操作キー部
４７１  スタートキー
４７２  テンキー
４７３  表示部
【図１】
2004357241.tif 000003
【図２】
2004357241.tif 000004
【図３】
2004357241.tif 000005
【図４】
2004357241.tif 000006
【図５】
2004357241.tif 000007
【図６】
2004357241.tif 000008
【図７】
2004357241.tif 000009
【図８】
2004357241.tif 000010